(57)【要約】      （修正有）【課題】環境データの変動に応じて対応する生体データを測定することを促す測定促進装置、方法及びプログラムを提供する。【解決手段】測定促進装置は、ユーザの外的な環境に関する環境データを取得する環境データ取得部３０１と、環境データが、ユーザの生体データが変化を受けやすいことを示す予め記憶した条件を満たすかどうかを判定するユーザ影響判定部３０３と、環境データが前記条件を満たすと判定された場合に、生体データを測定するように指示する指示部３０４と、を備える。【選択図】図３
2020160506.tif 000002
【特許請求の範囲】
【請求項１】
ユーザの外的な環境に関する環境データを取得する第１取得部と、
前記環境データが、前記ユーザの生体データが変化を受けやすいことを示す予め記憶した条件を満たすかどうかを判定する第１判定部と、
前記環境データが前記条件を満たすと判定された場合に、前記生体データを測定するように指示する指示部と、を備える、
測定促進装置。
【請求項２】
測定済み環境データと、測定済み生体データとの相関に基づいて前記条件を算出する算出部をさらに備える、
請求項１に記載の測定促進装置。
【請求項３】
前記算出部は、
前記測定済み環境データの変動量と、前記測定済み環境データの変動量に同期して変動する前記測定済み生体データの変動量とを関連付ける関連付部と、
関連付けられた前記測定済み環境データの変動量が、前記第１取得部が取得した前記環境データの変動量とある範囲内で一致することを、前記条件を満たすと設定する設定部と、を備える、
請求項２に記載の測定促進装置。
【請求項４】
前記ユーザが自覚した体調の変化の内容を受け付ける受付部をさらに備え、
前記関連付部は、前記体調の変化の内容及び測定済み生体データの変動量に基づいて、測定済み環境データの変動量と前記体調の変化の内容と測定済み生体データの変動量とを関連付ける、
請求項３に記載の測定促進装置。
【請求項５】
生体データの種類と、測定済み環境データと測定済み生体データとの相関に基づいて前記条件を満たす測定済み環境データとの対応を示すテーブルを取得する第３取得部をさらに備え、
前記第１判定部は、前記テーブルを参照することによって、前記第１取得部が取得した環境データが前記条件を満たすかどうかを判定する、
請求項１乃至４のいずれか１項に記載の測定促進装置。
【請求項６】
前記テーブルは、測定済みの環境データごとに、測定済みの環境データの変動量と、測定済みの生体データの変動量とに基づいてユーザごとに決定される、
請求項５に記載の測定促進装置。
【請求項７】
前記ユーザが屋内に居るかどうかを判定する第２判定部をさらに備え、
前記第１取得部は、前記ユーザが屋外または屋内に居るかによって取得する環境データを変更する、
請求項１乃至６のいずれか１項に記載の測定促進装置。
【請求項８】
前記第１判定部は、前記ユーザが屋内に居ると判定されると、前記環境データは近距離無線通信に基づいて屋内に設置されているセンサから環境データを取得し、屋外の環境データより屋内の環境データを優先して採用し、前記ユーザの生体データが環境の変化を受けやすいかどうかを判定する、
請求項７に記載の測定促進装置。
【請求項９】
前記指示部は、前記第１取得部が取得した環境データが前記条件を満たすと判定された場合に、前記生体データが変化しやすい環境であるとして、該当ユーザにアラートを通知する、
請求項１乃至８のいずれか１項に記載の測定促進装置。
【請求項１０】
ユーザの外的な環境に関する環境データを取得し、
前記環境データが、前記ユーザの生体データが変化を受けやすいことを示す予め記憶した条件を満たすかどうかを判定し、
前記環境データが前記条件を満たすと判定された場合に、前記生体データを測定するように指示すること、を備える、
測定促進方法。
【請求項１１】
コンピュータを、請求項１乃至９のいずれか１項に記載の測定促進装置が備える各部として機能させるためのプログラム。
【発明の詳細な説明】
【技術分野】
【０００１】
この発明は、測定促進装置、方法及びプログラムに関する。
【背景技術】
【０００２】
最近では、家庭用の医療測定機器の性能が向上して、ユーザの様々な生体データを精度良く測定し、測定された生体データをスマートフォン等により取得してユーザが容易に参照することが可能になっている。この医療測定機器として例えば、心電計、血圧計、及び心拍計は、小型化されていて携帯して持ち運べるものが多数販売されていて、ユーザはこれらの機器を容易に入手でき、日常生活を送っている際の自分の生体データを取得して参照することが可能になってきている。
【０００３】
これらの機器を利用するユーザは、自身の健康を良い状態に保つために、生体データの種類ごとに生体データの値が医師等の専門家から推奨されている適切な範囲になるように、日常生活を見直すことに役立てることがある。
【０００４】
また、日常生活において、環境が変化する際に生体データが変動してユーザの体調が悪くなることがある。例えば、トイレまたはお風呂場の脱衣場の室温が他の部屋の室温よりも著しく低く、特に冬期は、暖かい部屋からトイレまたは脱衣場に行った場合に、気温差によってユーザの血圧が急激に上昇することがある。
【０００５】
例えば、特許文献１には、気象予報に基づいて疾患毎の症状レベルを予測し、症状レベルの悪化が予測される会員に健康注意報を送信されることが開示されている。
【先行技術文献】
【特許文献】
【０００６】
【特許文献１】特開２００５−５０２１２号公報
【発明の概要】
【発明が解決しようとする課題】
【０００７】
特許文献１では、気象予報に応じて疾患レベルを予想するだけなので、気象予報以外の環境に関するデータは参照していない。したがって、例えば、屋内での環境変化による生体データの影響を考慮することができない。気象予報だけでなく、ユーザの生体データが影響を受ける環境を判定して、環境条件の変化に応じた値と、血圧等の生体データとを利用してユーザの健康維持に役立てることはなされていない。
【０００８】
この発明は上記事情に着目してなされたもので、一側面では、ユーザの環境が変化した際に、この環境データの変動に応じて対応する生体データを測定することを促す、測定促進装置、方法及びプログラムを提供しようとするものである。
【課題を解決するための手段】
【０００９】
本開示は、述した課題を解決するために、以下の構成を採用する。
【００１０】
すなわち、本開示の第１の側面に係る測定促進装置は、ユーザの外的な環境に関する環境データを取得する第１取得部と、前記環境データが、前記ユーザの生体データが変化を受けやすいことを示す予め記憶した条件を満たすかどうかを判定する第１判定部と、前記環境データが前記条件を満たすと判定された場合に、前記生体データを測定するように指示する指示部と、を備える。
【００１１】
上記の構成では、測定促進装置は、ユーザの外的な環境（すなわち、ユーザを取り巻く周囲の環境）に関する環境データを取得する。環境データとしては、外的な環境に関する物理量であれば何でもよく、例えば、温度、湿度、気圧、風速、明るさ、周囲の音量、及び空気の綺麗さがある。第１判定部は、前記ユーザの生体データが環境データの変化の影響を受けやすいかどうかを何らかの手法によって判定する。生体データは、生体に関するデータであれば何でもよく、血圧データ、心電データ、心拍データがある。第１判定部は、ユーザごとに環境データの変化がユーザに影響を及ぼすかどうかを判定する。判定する手法は多くの手法があり、以下の側面についての説明においていくつかの例が示される。そして、指示部は、第１判定部が前記生体データが変化を受けやすいことを示す予め記憶された条件を満たすと判定した場合に、この生体データを測定するように指示する。指示部は例えば、表示画面等に血圧を測定して下さい、等を表示して、血圧測定の指示を行う。
【００１２】
具体的には、測定促進装置は、例えば、現在のユーザの周囲の気温が急激に（例えば、１０度程度）低下したことを示す気温データを第１取得部が取得し、この温度データに基づいて、ユーザの血圧データがこの温度の変化の影響を受けやすい予め記憶された条件を満たすと第１判定部が判定したとする。この場合、指示部は、血圧データを測定するように指示し、この指示を受けてユーザが血圧計で測定を開始したり、この指示を受けて腕時計式の血圧計が自動的に測定を開始する。
【００１３】
このように、本開示の第１の側面に係る測定促進装置によれば、ユーザが影響を受けやすい環境の変化が生じた際に、環境の変化に対応する生体データを測定することをユーザに促すことができるので、ユーザ自身の健康管理に役立てることができる。また、この測定促進装置によれば、ユーザごとにどのような環境変化がどの生体データに影響を及ぼすかを特定することができる。したがって、ユーザは自身の生体データに影響を及ぼす環境の変化が発生した際に迅速にこの生体データを測定することができるので、実際の自身の生体データに裏付けられた環境データと生体データとの関係を得ることができる。
【００１４】
さらに、本開示の第１の側面に係る測定促進装置は、ユーザの外的な環境に関する環境データを取得して、環境データが、前記ユーザの生体データが変化を受けやすいことを示す予め記憶した条件を満たすかどうかを判定し、生体データが変化を受けやすいことを示す条件を満たすと判定された場合に、前記生体データを測定するように指示するためのプログラムを実行することができる装置であればよく、例えば、ウェアラブル機器（例えば、スマートフォン、腕時計型ウェアラブル端末）、活動量計、据置型の装置（例えば、パーソナルコンピュータ）でもよい。また、測定促進装置は、例えば、ユーザが装着していてもしていなくてもよく、環境データを取得することができればよい。例えば、環境データを測定または取得することができる測定装置をユーザが装着し、測定促進装置はこの装置から環境データ（または、環境データの１つである気温等）を取得して上記のプログラムを実行してもよい。
【００１５】
本開示の第２の側面に係る測定促進装置では、測定済み環境データと、測定済み生体データとの相関に基づいて前記条件を算出する算出部をさらに備える。
【００１６】
上記の構成では、測定促進装置は、予め測定された測定済みの環境データ及び測定済みの生体データの相関に基づいて、前記条件を算出するので、予めユーザごとに測定済みのデータの相関から条件を予め設定しておくことができる。したがって、この構成によれば、ユーザごとの実際に測定されたデータを使用して条件を算出するので、ユーザごとにその特徴を汲み取った条件を算出することが可能になる。
【００１７】
本開示の第３の側面に係る測定促進装置では、前記算出部は、前記測定済み環境データの変動量と、前記測定済み環境データの変動量に同期して変動する前記測定済み生体データの変動量とを関連付ける関連付部と、前記測定済み環境データの変動量が、前記第１取得部が取得した前記環境データの変動量とある範囲内で一致することを、前記条件を満たすと設定する設定部と、を備える。
【００１８】
上記の構成では、前記算出部に含まれる関連付部は、過去に測定された測定済み環境データの変動量と、この測定済みの環境データの変動量が測定された期間に同期変動する測定された測定済みの生体データの変動量とを関連付ける。これらの測定済みの環境データの変動量及び測定済みの生体データの変動量のデータは、例えば、測定済みの生体データの変動量（変化量とも称す）が生体データの種類ごとにしきい値が設定されいて、このしきい値以上に変化した生体データに対応する環境データのみに注目し、この環境データが生体データに連動してしきい値以上の変動量で変化している場合には、同期して変動していると判定し、これらの測定済みの環境データの変動量と、測定済みの生体データの変動量とを関連付ける。そして、関連付部によって関連付けられた測定済みの環境データの変動量が、前記第１取得部が取得した環境データの変動量とある範囲内で一致することを、前記条件を満たすと設定することができる。この結果、これらの同期して変動するとして関連付けられた測定済み環境データの変動量及び測定済み生体データの変動量のデータを参照して、測定済み環境データの変動量と同様な変動量を有する環境データが第１取得部で取得された場合に、第１判定部は、環境データは前記条件を満たすと判定し、この環境データに対応する生体データは環境の変化を受けやすいと判定することになる。
【００１９】
したがって、本開示の第３の側面に係る測定促進装置によれば、設定部は、過去に測定した環境データと生体データとのうち、変動量が一定値（しきい値）以上の環境データに基づいて、過去の測定データから、現在の環境データによって現在のユーザの生体データが変化しやすいかどうかを判定する条件を設定することができる。
【００２０】
本開示の第４の側面に係る測定促進装置では、前記ユーザが自覚した体調の変化の内容を受け付ける受付部をさらに備え、前記関連付部は、前記体調の変化の内容及び測定済み生体データの変動量に基づいて、測定済み環境データの変動量と前記体調の変化の内容と測定済み生体データの変動量とを関連付ける。
【００２１】
上記の構成では、ユーザが体調の変化を自覚した場合にはその内容を受付部を介して測定促進装置が取得して、関連受付部が体調の変化の内容と測定済み生体データの変動量と測定済み環境データの変動量とを関連づけることによって、ユーザの体調を含めた環境のユーザへの影響を関連づけることができる。このため、ユーザの主観的な体調の自覚と、測定済みの客観的な生体データとを環境データと関連づけることができるので、より多角的に環境データの変動によるユーザへの影響を判定することが可能になる。
【００２２】
本開示の第５の側面に係る測定促進装置では、生体データの種類と、測定済み環境データと測定済み生体データとの相関に基づいて前記条件を満たす測定済み環境データとの対応を示すテーブルを取得する第３取得部をさらに備え、前記第１判定部は、前記テーブルを参照することによって、前記第１取得部が取得した環境データが前記条件を満たすかどうかを判定する。
【００２３】
上記の構成では、予め何らかの手法によって作成された、生体データの種類と、ユーザの生体データが影響を受ける（すなわち、前記条件を満たす）測定済みの環境データとの対応を示すテーブルを取得して、第１判定部は、テーブルを参照して、テーブルに記載のある測定済みの環境データでは、対応する生体データが影響を受ける、すなわち、取得した環境データが前記条件を満たすと判定する。このため、第１判定部は、テーブルを参照することによって、第１取得部が取得した環境データによる環境の変化によって、ユーザの生体データが影響を受けるかどうかを判定することができる。
【００２４】
したがって、本開示の第５の側面に係る測定促進装置によれば、テーブルに該当する測定済み環境データがあった場合に、対応する生体データがこの環境の影響変化を受けやすいと判定することができる。このようにテーブルを参照するだけで生体データが対応する環境の変化を受けやすいかを容易に判定することができる。テーブルに対応する環境データがあるかどうかを判定するだけなので、ＣＰＵの演算リソースは少なくてすむと期待される。
【００２５】
本開示の第６の側面に係る測定促進装置では、前記テーブルは、測定済みの環境データの変動量と、測定済みの生体データの変動量とに基づいてユーザごとに決定される。
【００２６】
上記の構成では、ユーザごとに例えば、測定済みの環境データの変動量と、測定済みの生体データの変動量とが同期して変動し関連している場合には、この環境データの変動がこの生体データの変動に影響しているとしてテーブルに含めることを決定する。すなわち、環境データの変動量がある一定以上の場合に、環境データの変化に対応して生体データの変動量が一定（しきい値）以上であった場合には、この環境データの変化によって生体データが変化したと判定して、この測定済みの環境データと測定済みの生体データとを関連づけてテーブルに含める。また、環境データの変動量はその数値（例えば、変動前の数値）に依存する可能性もあるので、変動量だけでなくその数値も含めてテーブルに含めて判定してもよい。さらに、生体データはその数値によって変動量は変化する可能性があるので、変動量のしきい値は数値によって変化させてもよい。
【００２７】
したがって、本開示の第６の側面に係る測定促進装置によれば、ユーザごとに、実際の測定済みの環境データと測定済みの生体データとの変動量に基づいてテーブルを設定することができる。ユーザごとに実際のデータに基づいてテーブルを設定するので、ユーザにあったテーブルを作成することができる。
【００２８】
本開示の第７の側面に係る測定促進装置では、前記ユーザが屋内に居るかどうかを判定する第２判定部をさらに備え、前記第１取得部は、前記ユーザが屋外または屋内に居るかによって取得する環境データを変更する。
【００２９】
上記の構成では、第２判定部がユーザが屋外か屋内にいるかを判定し、屋外と屋内とではユーザに影響する環境データは異なるので、第１取得部はユーザが屋外にいるか屋内にいるかによって取得する環境データを変更する。例えば、第１取得部は、ユーザの位置情報を取得してユーザが屋外にいることを示している場合には、外気温、外湿度等の屋外のデータをインターネット等を介して取得し、ユーザの位置情報が屋内にいることを示している場合には、屋内に設置されている気温センサ、湿度センサ等が測定した屋内のデータを近距離無線通信等を介して取得してもよい。また、第１取得部は屋外及び屋内のどちらの環境データを取得していて、第１判定部がユーザが屋外または屋内にいるかによって使用する環境データを変更してもよい。
【００３０】
本開示の第８の側面に係る測定促進装置では、前記第１判定部は、前記ユーザが屋内に居ると判定されると、前記環境データは近距離無線通信に基づいて屋内に設置されているセンサから環境データを取得し、屋外の環境データより屋内の環境データを優先して採用し、前記ユーザの生体データが環境の変化を受けやすいかどうかを判定する。
【００３１】
上記の構成では、第１判定部は、ユーザが屋内にいると判定されると、屋内に設定されているセンサ等によって取得された環境データを使用して判定する。このため、第１判定部は、ユーザのいる場所によって採用する環境データを変更することができ、ユーザの外的な環境を正確に反映する環境データの変動を把握することができる。
【００３２】
本開示の第９の側面に係る測定促進装置では、前記指示部は、前記第１取得部が取得した環境データが前記条件を満たすと判定された場合に、前記生体データが変化しやすい環境であるとして、該当ユーザにアラートを通知する。
【００３３】
上記の構成では、指示部は、前記第１取得部が取得した環境データが前記条件を満たす（ユーザの生体データが環境の変化を受けやすい）と判定された場合には、その旨をユーザにアラートして注意を促す。このため、ユーザは自身の生体データを測定することができ、環境の変化に応じた生体データを記録することができる。
【００３４】
本開示のさらに別の側面に係る測定促進装置では、前記受付部は、前記自覚した内容を受け付けるための前記ユーザが実行させるためのインタフェースを表示する。
【００３５】
上記の構成では、測定促進装置の受付部は、ユーザが自覚した体調の変化の内容を受け付けるためのインタフェースを表示し、ユーザはこのインタフェースを使用して測定促進装置に体調の変化の内容を入力することができる。インタフェースは、ユーザがデータを入力することができれば何でもよいが、例えば、ＧＵＩ（Graphical User Interface）のボタンであり、例えば、ユーザがＧＵＩの複数のボタンから１つ以上のボタンを選択して測定促進装置へ入力する。
【発明の効果】
【００３６】
本発明の測定促進装置、方法及びプログラムによれば、一側面では、ユーザが影響を受けやすい環境の変化が生じた際に、環境の変化に対応する生体データを測定することをユーザに促し、環境変化によるユーザの生体への影響を判定することができる。
【図面の簡単な説明】
【００３７】
【図１】実施の形態に係る測定促進装置、腕時計型ウェアラブル端末、及びネットワーク経由で接続するサーバを含むシステムの概要を示す図。
【図２】実施の形態に係る測定促進装置のハードウェア構成の一例を模式的に例示する図。
【図３】実施の形態に係る測定促進装置のソフトウェア構成の一部の一例を例示する図。
【図４】実施の形態に係る測定促進装置に関する処理手順の一例を模式的に例示するフローチャート。
【図５】実施の形態に係る測定促進装置に関するテーブル作成の処理手順の一例を模式的に例示するフローチャート。
【発明を実施するための形態】
【００３８】
以下、本発明の一側面に係る実施の形態（以下、「本実施形態」とも表記する）を、図面に基づいて説明する。なお、以下の実施形態では、同一の番号を付した部分については同様の動作を行うものとして、重ねての説明を省略する。
【００３９】
［概要］  
まず、図１を用いて、本発明の測定促進装置の概要について説明する。  
図１は、概要の一例に係る測定促進装置１００、腕時計型ウェアラブル端末１２０、サーバ１３０、ネットワーク１４０、ＧＰＳ衛星１５０、及びセンサ１６０を模式的に例示している。
【００４０】
測定促進装置１００は、環境データを、屋外及び／または屋内に設置されているセンサ１６０から直接受信したり、環境データを取得して格納しているサーバ１３０からネットワーク１４０を介して取得する。そして、測定促進装置１００は、環境データが変化した場合に、この環境データの変動に応じてユーザの生体データが変動する可能性があるかどうかを判定する。ユーザの生体データが変動する可能性があると判定した場合には、測定促進装置１００は対応する生体データを測定するようにユーザに指示する。例えば、測定促進装置１００は、取得した環境データが、ユーザの生体データが環境の変化を受けやすいことを示す予め記憶した条件を満たすかどうかを判定し、取得した環境データがこの条件を満たすと判定された場合に、ユーザの生体データが変動する可能性があると判定して、測定促進装置１００は、環境データに対応する生体データを測定するようにユーザに指示する。
【００４１】
測定促進装置１００は、何らかの手法で自身の位置データを取得して、位置データに基づいて屋外または屋内のどちらの環境データを取得するかを判定して、ユーザが位置している屋内または屋外の所望の環境データを取得する。例えば、測定促進装置１００は、複数のＧＰＳ衛星１５０からの信号を受信して測定促進装置１００の位置を算出する。ユーザの位置情報は、測定促進装置１００がＧＰＳ衛星１５０からの信号を受信して算出されるだけでなく、測定促進装置１００が基地局及び／または無線ＬＡＮアクセスポイントから位置に関するデータを受信しこのデータに応じて位置情報を補正してもよい。
【００４２】
測定促進装置１００は、生体データが変動すると判定した場合には生体データを測定するように指示を出力する。例えば、ユーザはこの指示を受け取った場合に、腕時計型ウェアラブル端末１２０を使用して、対応する生体データを測定するようにボタン等を押して測定を開始し、計測した生体データは測定促進装置１００が受け取り、環境データに対応づけて生体データを記憶してもよい。また、この環境データと対応づけられた生体データは、ネットワーク１４０を介してサーバ１３０に記憶されてもよい。
【００４３】
腕時計型ウェアラブル端末１２０は、ユーザが身に付け（または所持して）ユーザが操作することによってユーザの生体データを計測し、測定促進装置１００へ生体データを送信する。生体データは生体に関するデータであればどんなものでもよく、例えば、心電データ、血圧データ、心拍データがある。生体データは、ユーザの操作だけでなく、あるイベントに基づいて測定されるように設定されていてもよい。
【００４４】
サーバ１３０は、ネットワーク１４０を介して測定促進装置１００と接続してデータをやり取りする。サーバ１３０は、測定促進装置１００からある種類の環境データの要求を受け付け、対応する環境データを測定促進装置１００にネットワーク１４０を介して送信する。サーバ１３０は、様々な場所に設定されている気象センサ等のセンサや、環境データを扱っている企業等から、多様な環境データを取得して記憶している。
【００４５】
サーバ１３０が記憶している環境データは、環境に関するデータであればどんなものでも記憶してもよいが、例えば、気温、気圧、湿度、風力、明るさ、音量（スマホ、スマートウォッチで取得可能）、空気の綺麗さ（大気質指数（PM2.5、NO2、O3、SO2、PM10、CO等の単位体積当たりの質量）がある。気温、気圧、湿度、及び風力のデータは、気象サイト、気象関連事業者等から取得することができる。明るさのデータは、スマートフォンの明るさを計測することができるセンサによって取得することができる。音量は、ユーザの周辺の騒音等であり、例えば、スマートフォン及び／またはスマートウォッチ等のマイクロフォンを利用して計測することができる。また、特に都市部では騒音は自治体等で測定されているので、そこから音量データ（騒音データ）を取得してもよい。空気の綺麗さは、大気質の指数を対応させることができる。大気質指数は、例えば、ＰＭ２．５、ＮＯ２、Ｏ３、ＳＯ２、ＰＭ１０、ＣＯの単位体積当たりの質量があり、これらの値が小さいほど空気が綺麗であると判定することができる。
【００４６】
なお、腕時計型ウェアラブル端末１２０が測定する生体データを、測定促進装置１００が単独で測定することができる場合には、測定促進装置１００が測定する生体データを使用してもよい。この場合には測定促進装置１００は、腕時計型ウェアラブル端末１２０の生体データを算出する装置部分を備えることになる。例えば、測定促進装置１００は、ウェアラブル端末装置（例えば、スマートフォン）である場合には、撮影装置（カメラ等）及びライティング装置を備えていることは通常であり、心拍数を測定することが可能であるので、心拍データを算出することが可能になる。
【００４７】
以上の通り、本実施形態の測定促進装置によれば、腕時計型ウェアラブル端末１２０がユーザの環境データを取得し、様々な環境データが変動している場合に、ユーザの生体データが変動するかどうかを判定し、この生体データが変動すると判定した場合には、測定促進装置１００が生体データを測定するように指示する。この結果、ユーザにとって環境が変化した場合に、その環境変化によってどの生体データにどのような変化が生じるかを測定することが可能になる。このため、ユーザごとにどのような環境変化が生じると、どの生体データに変化が現れるかのデータを取得することができるので、ユーザごとにどの環境変化に対処すべきかがわかり、健康を維持するために役立てることができる。
【００４８】
［構成例］  
（ハードウェア構成）  
＜測定促進装置＞  
次に、図２を用いて、本実施形態に係る測定促進装置１００のハードウェア構成の一例について説明する。  
図２に示される通り、本実施形態に係る測定促進装置１００は、通信インタフェース２０１、記憶部２０２、入力装置２０３、出力装置２０４、計時装置２０５、電源部２０６、外部インタフェース２０７、ＧＰＳ受信部２０８、及び制御部２１０が電気的に接続されたコンピュータを備えている。本実施形態に係る測定促進装置１００は、本発明の「測定促進装置」に相当する。なお、図２では、通信インタフェース及び外部インタフェースをそれぞれ、「通信Ｉ／Ｆ」及び「外部Ｉ／Ｆ」と記載している。
【００４９】
通信インタフェース２０１は、ネットワークを介した有線または無線通信を行うためのインタフェースであり、例えば、近距離無線通信（例えば、Bluetooth（登録商標））モジュール、有線ＬＡＮ（Local Area Network）モジュール、無線ＬＡＮモジュール等である。通信インタフェース２０１は、測定促進装置１００を外部装置（例えば、コンピュータ、ネットワーク上の通信機器；図１の例では腕時計型ウェアラブル端末１２０、サーバ１３０、センサ１６０）に接続するためのインタフェースである。通信インタフェース２０１は、制御部２１０によって制御され、例えば、センサ１６０から環境データを受け取ったり、腕時計型ウェアラブル端末１２０から生体データを受け取るためのものである。他に、通信インタフェース２０１は、ネットワーク１４０を介してサーバ１３０から環境データをダウンロードする。なお、近距離無線通信方式は、特別の方式に限定されず任意の通信方式でよく、例えば、Bluetooth（登録商標）、NFC（Near Field Communication）がある。
【００５０】
このネットワークを介した通信は、通常は無線であるが有線であってもよい。なお、ネットワークは、インターネットを含むインターネットワークでもよいし、病院内ＬＡＮのような他の種類のネットワークであってもよいし、ＵＳＢ（Universal Serial Bus）ケーブルなどを用いた１対１の通信であってもよい。通信インタフェース２０１は、マイクロＵＳＢコネクタを含んでいてもよい。
【００５１】
記憶部２０２は、コンピュータその他の装置、及び機械等が、記録されたプログラム等の情報を読み取り可能なように、当該プログラム等の情報を、電気的、磁気的、光学的、機械的または化学的作用によって蓄積する媒体である。記憶部２０２は、例えば、ハードディスクドライブ、ソリッドステートドライブ等の補助記憶装置であってもよい。記憶部２０２は、サーバ１３０及び／またはセンサ１６０から取得した環境データ（屋内で取得したかどうかも含めてもよい）と、腕時計型ウェアラブル端末１２０から取得した生体データとを記憶する。また、記憶部２０２は、ユーザが入力装置２０３によって入力したユーザの体調データも記憶する。また、記憶部２０２は、環境データが、ユーザの生体データが変化を受けやすいことを示す予め記憶した条件を記憶している。この条件は、例えば、測定済み環境データの変動量に同期して変動する前記測定済み生体データの変動量が環境データの変動量に関連付けられ、測定済み環境データの変動量が、取得した環境データの変動量とある範囲内で一致することである。
【００５２】
さらに、記憶部２０２は、環境データがユーザの生体データに影響を及ぼすと判定されたかどうかを示す判定データも記憶してもよい。そして、記憶部２０２に記憶される実際の生体データと環境データと判定データとをユーザごとに判定して、判定精度が上がるように制御部２１０での判定の際のしきい値を調整してもよいし、これらのデータに基づいて学習してもよい。
【００５３】
またさらに、記憶部２０２から生体データ、環境データ、及び判定データを送信し、サーバ１３０はユーザごとにこれらのデータを格納して、さらにユーザの個人データ（属性データとも称する：年齢、身体情報（身長、体重等）、病歴、通院歴等がある）を別途取得して、非常に膨大な数のデータを収集し、このデータに基づいてユーザごとのデータの特徴、判定のための高精度なしきい値の算出、環境データと生体データとの関係を発見することに使用してもよい。
【００５４】
また、記憶部２０２は、制御部２１０で実行される、取得された環境データに基づいてユーザの生体データが影響を受けやすいかどうかを判定し、ユーザの生体データが環境の影響を受けやすいと判定された場合には生体データを測定するように指示するための実行プログラムを記憶している。
【００５５】
さらに、記憶部２０２は、サーバ１３０及び／またはセンサ１６０から取得した環境データ、及びこの環境データに対応する、腕時計型ウェアラブル端末１２０が取得した生体データは、所定の期間の全てのデータを記憶していてもよい。所定の期間は、例えば、過去の一定の期間でもよいし、過去から現在を含む未来のある日時まででもよい。また、記憶部２０２は、制御部２１０で判定される以前の過去の環境データ及び対応する生体データを含んでいる場合には、これらのデータに基づいて測定促進装置１００は、測定された環境データがユーザの生体データに変化をもたらすものかどうかを判定することができる。他に、記憶部２０２は、入力装置２０３が受け付けたユーザの体調に関する体調データを、その日時データと共に、生体データ及び環境データと関連付けて記憶する。
【００５６】
入力装置２０３は、入力を受け付ける装置であり、例えば、タッチパネル、物理ボタン、マウス、キーボード等である。入力装置２０３は例えば、ユーザの体調データを受け付ける。出力装置２０４は、出力を行う装置であり、表示、音声、紙媒体、光、振動等で情報を出力し、例えば、ディスプレイ、スピーカ、プリンタ等である。タッチパネルは、表示パネルに指及びペン等でタッチすることによって情報を入力でき、また、タッチするボタンやその他の情報が表示されるので、入力装置２０３と出力装置２０４との両方に対応する。出力装置２０４は、例えば、制御部２１０からの指示内容を表示したり、音声または光、振動等でユーザに伝える。
【００５７】
計時装置２０５は、時間を計測する装置であり、日時を計測できる。例えば、計時装置２０５はカレンダーを含む時計であってもよく、現在の年月及び／または日時の情報を制御部２１０へ渡す。記憶部２０２は、この計時装置２０５の日時によってタイムスタンプがデータに付与されて記憶することができる。
【００５８】
電源部２０６は、電力を供給可能なものであれば何でもよく、例えば、充電可能な２次電池または通常のコンセントから取得可能な交流電源である。電源部２０６は、測定促進装置１００本体に搭載されている各要素へ電力を供給する。電源部２０６は、例えば、通信インタフェース２０１、記憶部２０２、入力装置２０３、出力装置２０４、計時装置２０５、外部インタフェース２０７、ＧＰＳ受信部２０８、及び制御部２１０へ電力を供給する。
【００５９】
外部インタフェース２０７は、測定促進装置１００の本体と外部との媒介をするためのものであり、例えば、ＵＳＢポートであり、外部装置（例えば、メモリ、通信機器、生体データ測定装置）と接続するためのインタフェースである。外部インタフェース２０７は、例えば、心電計、血圧計、歩数計、活動量計、及び／または加速度センサ等の外部装置と接続するためのインタフェースである。
【００６０】
制御部２１０は、ＣＰＵ（Central Processing Unit）、ＲＡＭ（Random Access Memory）、ＲＯＭ（Read Only Memory）等を含み、情報処理に応じて各構成要素の制御を行う。取得された環境データの変動に基づいてユーザの生体データが変動するかどうかを判定する実行プログラムは記憶部２０２に記憶されていて、制御部２１０は記憶部２０２から実行プログラムを呼び出して処理を実行する。制御部２１０の詳細は、図３を参照して説明する。
【００６１】
（ソフトウェア構成）  
＜測定促進装置１００＞  
次に、図３を用いて、本実施形態に係る測定促進装置１００のソフトウェア構成の一例を説明する。図３は、測定促進装置１００の制御部２１０で実行される、環境データを取得して環境データの変動にともなってユーザの生体データが変動するかどうかを判定し、環境データの変動に伴って生体データが変動すると判定された場合には生体データを測定するように指示するためのプログラムを実行するためのソフトウェア構成を示す。
【００６２】
測定促進装置１００の制御部２１０は、必要なプログラムを実行する際に、記憶部２０２に記憶された、取得された環境データが変動することに基づいて生体データが変動するかどうかを判定し生体データが変動すると判定された場合には生体データを測定するように指示する実行プログラム（換言すれば、ユーザの生体データが変化を受けやすいことを示す条件を、取得した環境データが満たすかどうかを判定する実行プログラム）をＲＡＭに展開する。そして、制御部２１０は、ＲＡＭに展開された、この実行プログラムをＣＰＵにより解釈及び実行して、各構成要素を制御する。このように、図３に示される通り、本実施形態に係る測定促進装置１００は、環境データ取得部３０１、生体データ取得部３０２、ユーザ影響判定部３０３、指示部３０４、体調受付部３０５、関連付け部３０６、及びテーブル作成部３０７を備える。
【００６３】
環境データ取得部３０１は、通信インタフェース２０１を経由してセンサ１６０及び／またはサーバ１３０等から、屋内及び／または屋外の環境データを取得する。環境データ取得部３０１は、複数のＧＰＳ衛星１５０から信号を受け取り位置データを生成するＧＰＳ受信部２０８から測定促進装置１００の位置データを受け取り、測定促進装置１００を所持するユーザが屋内にいるかどうかを判定し、屋内にいる場合には屋内の環境データをセンサ１６０等から取得し、屋外にいる場合には屋外の環境データをネットワーク１４０を経由してサーバ１３０から取得する。また、環境データ取得部３０１は、測定済みの環境データを、生体データ取得部３０２が取得する測定済みの生体データと共に記憶部２０２に記憶させていてもよい。
【００６４】
なお、環境データを検出するセンサは、例えば、屋内や屋外に設置されているセンサ１６０があるが、測定促進装置１００がこれらのセンサを搭載していて、これらから環境データ取得部３０１が環境データを取得してもよい。
【００６５】
生体データ取得部３０２は、腕時計型ウェアラブル端末１２０等で測定したユーザの生体データを、通信インタフェース２０１を介して取得する。本実施形態では、測定促進装置１００が取得した環境データが条件を満たすと判定された場合に測定促進装置１００がユーザの生体データを測定するように指示し、この指示に基づいて測定された生体データを生体データ取得部３０２が取得する。条件は、環境データが、ユーザの生体データが変化を受けやすいと判定される予め記憶した条件である。例えば、測定済み環境データと測定済み生体データとが相関して、これらのデータの変動量が同期して変動している場合に、測定済み環境データの変動量が、取得した環境データの変動量とある範囲内で一致する場合がこの条件を満たすことに対応する。
例えば、生体データが心電データである場合には、生体データ取得部３０２は、腕時計型ウェアラブル端末１２０での信号処理回路から時系列データの形態で出力される、２つの電極間の電位差を示す電位差信号を心電データとして通信インタフェース２０１を経由して取得する。ここで心電データは、心臓の電気的活動を表す波形信号である。生体データが血圧データである場合には、生体データ取得部３０２は、腕時計型ウェアラブル端末１２０が計測した血圧データ（収縮期血圧（ＳＢＰ）と拡張期血圧（ＤＢＰ）とを含む時系列データ）を通信インタフェース２０１を経由して取得する。
【００６６】
生体データ取得部３０２が取得した生体データは、記憶部２０２に記憶される。生体データ取得部３０２は、測定済みの環境データと共に測定済み生体データを全て記憶部２０２に記憶させておいてもよい。
【００６７】
なお、外部の生体データを検出するセンサは、例えば、腕時計型ウェアラブル端末１２０に搭載されるが、測定促進装置１００がこれらの装置を備えていて、これらから生体データ取得部３０２が生体データを取得してもよい。
【００６８】
例えば、生体データが心電データの場合には、心電データは心臓の電気的興奮とその興奮がさめる時間的な変化を示すデータであり、心臓の電気的興奮によって体表面に発生する変動する電場により電位が変化するものである。生体データが血圧データの場合には、収縮期血圧（ＳＢＰ）と拡張期血圧（ＤＢＰ）とを含む時系列データを生体データ取得部３０２が取得する。
【００６９】
ユーザ影響判定部３０３は、環境データ取得部３０１から環境データを受け取り、この環境データが、ユーザの生体データが環境の変化を受けやすいことを示す条件を満たすかどうかを判定する。例えば、ユーザ影響判定部３０３は、環境データに時間に対して変動がある（以下、時間変動、または単に、変動、とも称する）かどうかを判定し、環境データに変動がある場合には、ユーザの生体データに影響が生じる可能性が高いかどうか（生体データが環境の変化を受けやすいかどうか、とも称す）を判定する。生体データに影響が生じるとは、典型的にはユーザの生体データが悪化することであり、例えば、適正範囲からしきい値以上に生体データのある値が離れることである。この適正範囲は、予めユーザ影響判定部３０３が記憶していてもよいし、ユーザごとに設定されて記憶部２０２に記憶されていてもよい。また、この適正範囲は、生体データの種類ごとにテーブル作成部３０７によって提供されてもよい。ユーザ影響判定部３０３は、ＧＰＳ受信部２０８からユーザが屋内に居るかどうかを判定し、屋内に居るかどうかで適正範囲から離れる度合いを示すしきい値を変更してもよい。
【００７０】
ユーザ影響判定部３０３は、この環境データが、ユーザの生体データが環境の変化を受けやすいことを示す条件を満たすと判定した場合には、生体データを測定するように指示部３０４へ指示する。例えば、ユーザ影響判定部３０３は、環境データの時間変動によってユーザの生体データに変動がしきい値以上に生じている可能性が高いかどうかを判定して、生体データが変動が生じる可能性が高いと判定した場合には、指示部３０４へ対応する生体データを測定するように指示する生体データを指示部３０４へ渡す。この条件は、例えば、テーブル作成部３０７が生成するテーブルに含まれていてもよいし、記憶部２０２に記憶されていてもよい。ユーザ影響判定部３０３は、テーブル及び／または記憶部２０２を参照して条件を満たすかどうかを判定する。
【００７１】
指示部３０４は、ユーザ影響判定部３０３からのある生体データを測定する指示データを受け、出力装置２０４へ指示データを渡し、所望の形式で指示データを出力する。ユーザはこの指示データを出力を受け取り、ユーザは対応する生体データを測定するように動作する。このユーザによる測定結果は、例えば、腕時計型ウェアラブル端末１２０において測定され、測定されたデータは、通信インタフェース２０１を介して測定促進装置１００が受け取る。
【００７２】
体調受付部３０５は、入力装置２０３を介してユーザが体調の不調を感じた場合に入力したデータを受け付け、記憶部２０２に生体データと環境データとに関連付けて記憶させる。この入力は、例えば、入力装置２０３にインタフェースが表示され、その表示をユーザが例えば、選択肢のいずれかをタッチすること等によって体調を示す体調データを入力装置２０３を介して体調受付部３０５が受け付ける。例えば、ユーザは、入力装置２０３と体調受付部３０５によって、息苦しい、めまいがある、咳が出る、等の内容を入力する。これらの内容は、タッチパネル等でユーザが選択可能なように入力装置２０３が表示してもよい。
【００７３】
関連付け部３０６は、記憶部２０２に記憶されている、測定済み環境データと測定済み生体データとが相関していて、測定済みの環境データの変動量と、測定済みの環境データの変動量に同期して変動する測定済みの生体データの変動量とを関連付ける。また、関連付け部３０６はさらに、記憶部２０２に記憶されている測定済みの環境データ、測定済みの生体データ、及び体調データのうち、体調データの内容と対応する測定済みの生体データの変動量（変化量とも称す）に基づいて、この生体データと相関のある測定済みの環境データ、測定済みの生体データ、及び体調データを関連付けてもよい。例えば、関連付け部３０６は、体調データの内容が対応する測定済みの生体データの変動量と関連があると判定できる場合には、これらのデータを測定済みの環境データとを関連付ける。一例としては、体調データが示すユーザの体調と測定済みの生体データの種類とが関連していて、さらに測定済みの生体データの変動量が一定値以上であり、測定済みの生体データの変動した時刻とユーザが体調の不調を体調受付部３０５が受け付けた時刻とが所定時間内である場合に、測定済みの環境データ、測定済みの生体データ、及び体調データを関連付ける。関連付け部３０６において、体調データが示すユーザの体調と生体データの種類とが関連するかどうかについては、例えば、生体データの種類によってその生体データの変動によって生じる体調または病状は、既知であることがあるので、既知であるものに体調または病状が対応するかどうかで関連するかどうかを判定する。なお、ユーザが体調の不調を感じた時刻は、ユーザから体調受付部３０５が受け付けた時刻ではなく、ユーザによって入力装置２０３を介して後ほど設定できてもよい。また、ユーザが不調を感じた内容についても後ほど入力装置２０３を介して設定できてもよい。
【００７４】
テーブル作成部３０７は、関連付け部３０６によって関連付けられた測定済み環境データの変動量が、取得した環境データの変動量とある範囲内で一致することを、条件を満たすと設定し、この条件を満たす、測定済みの環境データと、測定済みの生体データとの対応を示すテーブルを作成する。さらに、テーブル作成部３０７は、ユーザが自覚した体調の変化の内容を、測定済み環境データの変動量と測定済み生体データの変動量とに関連付けれて、テーブルに含まれてもよい。記憶部２０２に格納されている測定済みの環境データ、測定済みの生体データ、体調データに基づいて、測定済みの生体データの種類ごとに、ユーザが影響を受ける測定済みの環境データとの対応を示すテーブルを作成する。テーブル作成部３０７は、例えば、記憶部２０２に格納されている測定済みの環境データ、測定済みの生体データ、体調データに基づいて、測定済みの環境データの変動によって測定済みの生体データ及び／または体調データに悪影響を及ぼしている測定済み環境データを判定して選択し、これら選択したデータを対応づけたテーブルを作成してもよい。ユーザの健康状態に悪影響を及ぼしているかどうかは、例えば、データ項目ごとにしきい値または範囲を設定してそのしきい値及び／または範囲を超えた場合に悪影響を及ぼしていると判定する。テーブル作成部３０７が作成したテーブルは、記憶部２０２に記憶させて、ユーザ影響判定部３０３は記憶部２０２を参照してもよい。
【００７５】
また、このテーブルは予め記憶部２０２に記憶されていて、テーブル作成部３０７が記憶部２０２からテーブルを取得してもよい。この場合には、テーブルは事前の生体データ及び環境データに関する情報に基づいて決定されている。
【００７６】
テーブル作成部３０７は、作成したまたは取得したテーブルをユーザ影響判定部３０３に提供して、環境データ取得部３０１が取得した環境データがユーザの健康に影響を及ぼすかどうかを判定する。
【００７７】
＜その他＞  
測定促進装置１００の動作に関しては後述する動作例で詳細に説明する。なお、本実施形態では、測定促進装置１００の制御部２１０は汎用のＣＰＵによって実現されてもよい。しかしながら、以上の動作（または機能）の一部または全部が、１または複数の専用のプロセッサにより実現されてもよい。また、測定促進装置１００の構成に関して、実施形態に応じて、適宜、省略、置換及び追加が行われてもよい。
【００７８】
［動作例：全体］  
次に、図４を用いて、測定促進装置１００の動作の概略を説明する。
【００７９】
図４は、測定促進装置１００の処理手順の一例を例示するフローチャートである。なお、以下で説明する処理手順は一例に過ぎず、各処理は可能な限り変更されてよい。また、以下で説明する処理手順について、実施の形態に応じて、適宜、ステップの省略、置換、及び追加が可能である。
【００８０】
（起動）  
まず、ユーザは測定促進装置１００を、入力装置２０３を介して起動し、さらに設定等の入力を受け付ける。測定促進装置１００の制御部２１０は、以下の処理手順にしたがって、処理を進める。
【００８１】
（ステップＳ４０１）  
ステップＳ４０１では、制御部２１０は、環境データ取得部３０１として動作し、ＧＰＳ受信部２０８から測定促進装置１００の位置データを取得して、測定促進装置１００の位置（すなわち、ユーザの位置）は屋内であるか屋外であるかを判定する。そして、ユーザが屋内に居ると判定された場合には、ステップＳ４０２へ進み、ユーザが屋内に居ないと判定された場合には、ユーザは屋外に居ると判定されてステップＳ４０３へ進む。
【００８２】
ここでは、ユーザは測定促進装置１００を身に付けて（または所有している）としているが、例えば、ユーザが身に付けている腕時計型ウェアラブル端末１２０等の位置データを環境データ取得部３０１が取得してこの位置データを使用してもよい。この場合には、測定促進装置１００は、通信インタフェース２０１を介して腕時計型ウェアラブル端末１２０から位置データを取得して環境データ取得部３０１がユーザが屋内に居るかどうかを判定する。
【００８３】
位置データは、ユーザが居る場所が望ましいので、腕時計型ウェアラブル端末１２０のようにユーザが身に付けている場合には、測定促進装置１００よりも腕時計型ウェアラブル端末１２０が望ましい。しかし、測定促進装置１００をほぼ所持している場合や、鞄等で常に持ち運んでいる場合には、測定促進装置１００の位置データがユーザの位置データと一致しているとしても問題はない。例えば、ＧＰＳ受信部の精度がより良いものであるかどうかにも依存するので、腕時計型ウェアラブル端末１２０よりも測定促進装置１００の精度がより良く、ユーザとほとんど同一の屋内または屋外にいる場合には、測定促進装置１００によって位置データを測定することが望ましい。
【００８４】
（ステップＳ４０２）  
ステップＳ４０２では、制御部２１０は、環境データ取得部３０１として動作し、屋内センサから通信インタフェース２０１を介してＢｌｕｅｔｏｏｔｈによって屋内の環境データを取得する。なお、通信インタフェース２０１は、Ｂｌｕｅｔｏｏｔｈ以外の他の通信方式によって受信しても構わなく、他の近距離無線通信方式でもよい。
【００８５】
（ステップＳ４０３）  
ステップＳ４０３では、制御部２１０は、環境データ取得部３０１として動作し、屋外センサまたはネットワーク１４０を介してサーバ１３０等から屋外の環境データを取得する。
（ステップＳ４０４）  
ステップＳ４０４では、制御部２１０は、ユーザ影響判定部３０３として動作し、環境データ取得部３０１で取得した環境データがユーザの生体データに悪影響を与えるかどうかを判定する。ユーザ影響判定部３０３が、生体データに悪影響を与えないと判定した場合にはステップＳ４０１へ戻り、生体データに悪影響を与えると判定した場合にはステップＳ４０５へ進む。ユーザ影響判定部３０３は、生体データ取得部３０１が取得した環境データが、ユーザの生体データが変化を受けやすいことを示す予め記憶された条件を満たすかどうかを判定する。この条件は、上述した通りである。
【００８６】
（ステップＳ４０５）  
ステップＳ４０５では、制御部２１０は、指示部３０４として動作し、出力装置２０４を介してユーザにユーザ影響判定部３０３が悪影響を与えると判定した生体データを測定するように指示する。
【００８７】
［動作例：テーブル作成］  
次に、図５を用いて、測定促進装置１００の動作の概略を説明する。
【００８８】
図５は、測定促進装置１００に関するテーブル作成の処理手順の一例を例示するフローチャートである。なお、以下で説明する処理手順は一例に過ぎず、各処理は可能な限り変更されてよい。また、以下で説明する処理手順について、実施の形態に応じて、適宜、ステップの省略、置換、及び追加が可能である。
【００８９】
（起動）  
まず、ユーザは測定促進装置１００を、入力装置２０３を介して起動し、さらに設定等の入力を受け付ける。測定促進装置１００の制御部２１０は、以下の処理手順にしたがって、処理を進める。
【００９０】
（ステップＳ５０１）  
ステップＳ５０１では、制御部２１０は、体調受付部３０５として動作し、入力装置２０３を介してユーザの体調に関する内容（例えば、ユーザの自覚症状）を取得する。
【００９１】
（ステップＳ５０２）  
ステップＳ５０２では、制御部２１０は、体調受付部３０５として動作し、ステップＳ５０１で取得したユーザの体調に関する内容である自覚症状が軽いかどうかを判定する。例えば、ユーザへの質問及び対応する回答によって自覚症状を選別し、例えば、医者への診察が必要かどうかを判定し、医者への診察が必要でないと判定した場合には自覚症状が軽い、と判定し、そうでない場合には自覚症状が軽くないと判定する。自覚症状が軽いかどうかの判定は、特にこの例には拘らず、ユーザに判断してもらってもよく、多くの変形が可能である。体調受付部３０５において体調データが軽くないと判定された場合には、体調受付部３０５は記憶部２０２に体調データを記憶させてもよい。
【００９２】
ステップＳ５０２において、自覚症状が軽いと判定された場合にはステップＳ５０１へ進み、自覚症状が軽くないと判定された場合にはステップＳ５０３へ進む。
【００９３】
（ステップＳ５０３）  
ステップＳ５０３では、制御部２１０は、環境データ取得部３０１及び生体データ取得部３０２として動作し、ユーザが自覚症状を訴えた期間と連動して、環境データ及び生体データを取得して、記憶部２０２に記憶される。
【００９４】
（ステップＳ５０４）  
ステップＳ５０４では、制御部２１０は、関連付け部３０６として動作し、測定済み環境データの変動量と、測定済み環境データの変動量に同期して変動する測定済み生体データの変動量と、を関連付け、ユーザの自覚症状に対応する測定済みの環境データ及び測定済みの生体データの変動量がしきい値（ＴＨとも略す）以上であるかどうかを判定する。また、しきい値と比較して判定するのではなく、ある適正範囲内であるかどうかを比較することによって判定してもよく、測定済みの環境データ及び／または測定済みの生体データの種類及び性質によって判定基準は決定されてよい。例えば、測定済みの生体データが血圧データである場合に血圧値は範囲によって最適血圧、高血圧、低血圧が判定できるので、範囲で判定することが望ましい。他に測定済みの生体データが心電データである場合には、心電データの形状によって判定する場合があり、この場合にはその形状がどの程度現れているかが例えば判定基準になるので、しきい値によって判定されることが望ましい。
【００９５】
関連付け部３０６は、関連付けられた測定済み環境データの変動量が、環境データ取得部３０１が取得した環境データの変動量とある範囲内で一致することを、条件を満たすと設定する。
【００９６】
ステップＳ５０４では、測定済みの環境データ及び測定済みの生体データのそれぞれの変動量がしきい値よりも大きい場合にはステップＳ５０５へ進み、大きくない場合にはステップＳ５０１へ戻る。
【００９７】
（ステップＳ５０５）  
ステップＳ５０５では、制御部２１０は、関連付け部３０６として動作し、ユーザの自覚症状に対応する測定済みの環境データと測定済みの生体データとを自覚症状に関連付ける。これらの測定済みの環境データと測定済みの生体データとは、それぞれの変動量を含んで自覚症状に関連付けれる。自覚症状は、その症状に応じてランク付けされていてもよく、例えば、強い症状、弱い症状と分類されてもよい。
【００９８】
（ステップＳ５０６）  
ステップＳ５０６では、制御部２１０は、テーブル作成部３０７として動作し、ステップＳ５０５で関連付けたデータを含むテーブルを作成する。このテーブルは、テーブル作成部３０７が記憶しておいてもよいし、記憶部２０２の所定の領域に記憶させておき、テーブル作成部３０７がアクセスしてテーブルをユーザ影響判定部３０３に提供してもよい。
【００９９】
テーブル作成部３０７は、生体データの種類と、測定済み環境データと測定済み生体データとの相関に基づいて上記の条件を満たすユーザの生体データが影響を受ける測定済み環境データと、の対応を示すテーブルを作成する。例えば、テーブルに含まれている測定済みの環境データと同様な環境データを環境データ取得部３０１が取得した場合には、ユーザ影響判定部３０３はこの取得した環境データは条件を満たすと判定して、テーブルによって示される対応する生体データを測定するように指示部３０４が指示することになる。
【０１００】
［作用と効果］
以上のように、本実施形態の測定促進装置１００は、ステップＳ４０１でユーザが屋内に居るかどうかで屋内センサまたは屋外センサ（及び／または屋外データを格納しているサーバ）から、適する環境データを取得することができる。そして、ステップS４０４において環境データの変動量がユーザに悪影響を与えるかどうかを判定して、悪影響を与えると判定した場合にはユーザに測定するように指示することによって、環境データに応じた生体データを測定することが可能になる。このため、環境データ及び生体データを参照することによって、ユーザは自身の健康管理に役立てることができる。また、実施形態の測定促進装置１００によって、ユーザは自身がどのような環境変化に気をつけるべきかを予め認識することができる。さらに、環境変化に応じてユーザにユーザの生体情報が影響を受けやすいことを通知し、どの環境を変えるべきかをユーザに示していることになる。
【０１０１】
悪影響を与える環境データの変動量であるかどうかを判定し、必要な生体データのみを測定することができるので、ユーザが入力及び測定のために使用する時間を最小限に抑えることができ、環境データ及び生体データは有用なデータを測定することが多くなると期待され、無駄なデータが少なくなり記憶部２０２のリソースを有効に使用することができる。また、悪影響を与える環境データの変動量であるかどうかを判定してから該当する場合に生体データを測定するので、無駄な測定がなくなり、腕時計型ウェアラブル端末１２０の生体データの測定回数を減らすことができ、腕時計型ウェアラブル端末１２０の故障、電源の低下、カフ及び電極の消耗を低減することができる。
【０１０２】
さらに、図５に示した手順によって、ユーザ影響判定部３０３が判定する際に有用なテーブルを作成することができ、ユーザ影響判定部３０３が環境データの変動量からユーザの生体データの変動に異常があるかどうかを適切に判定することができるようになる。また、記憶部２０２またはテーブル作成部３０７に有用なデータが蓄積されて学習されると、このテーブルの内容はより洗練されてユーザ影響判定部３０３の判定の精度はより上昇していくことが可能になる。
【０１０３】
［変形例］  
以上、本発明の実施の形態を詳細に説明してきたが、前述までの説明はあらゆる点において本発明の例示に過ぎない。本発明の範囲を逸脱することなく種々の改良や変形を行うことができることは言うまでもない。例えば、以下のような変更が可能である。また、本発明の実施にあたって、実施形態に応じた具体的構成が適宜採用されてもよい。なお、以下では、上記実施形態と同様の構成要素に関しては同様の符号を用い、上記実施形態と同様の点については、適宜説明を省略した。以下の変形例は適宜組み合せ可能である。
【０１０４】
＜１＞  
図５の処理手順の一例では、体調受付部３０５が体調の内容を受け付けた場合についての処理であるが、記憶部２０２に体調データがない場合でも、関連付け部３０６によって環境データと対応する生体データとを関連付けてテーブル作成部３０７において、環境データと生体データとを対応づけるテーブルを作成してもよい。例えば、過去の測定済みの環境データ及び生体データに基づいてテーブルを作成する。また、指示部３０４からの生体データを測定する指示が適切であるかどうかをユーザが判定して、入力装置２０３を介してユーザが入力したデータを記憶部２０２が記憶してこのデータに基づいて環境データ及び生体データの対応付けの信頼性を記憶させ、この信頼性に基づいてテーブル作成部３０７がテーブルを作成してもよい。また、信頼性の高い環境データ及び生体データが対応付けられたテーブルのみをユーザ影響判定部３０３に参照させてもよい。信頼性が高いかどうかは、例えば、信頼性あり、とのユーザから回答の割合が所定値以上である場合に信頼性が高いと判定する。他に、ユーザのその後の病歴等をフィードバックして、生体データと病状の関連性から信頼性を定めてもよい（変動して悪化した生体データと病状が関連していた場合には信頼性が高いと決定）。
【０１０５】
＜２＞  
図示はしていないが、腕時計型ウェアラブル端末１２０、及び／または測定促進装置１００は、加速度センサ、圧力センサ、ジャイロセンサ、及び／または地磁気センサを備えていてもよい。
【０１０６】
なお、加速度センサは、加速度を検出するセンサであり、例えば３軸加速度センサであり、センサの加速度を線型独立な３軸（例えば、互いに直交した３軸）に関して検出する。そして、加速度センサは、３方向の加速度を表す加速度信号を制御部２１０へ出力する。加速度センサは、静止時の加速度の値から、ロール角とピッチ角とを得ることができる。
【０１０７】
圧力センサは、圧力を検出する一般的なものであり、例えば、圧力センサによれば、気圧を測定することでユーザの標高を検出することができる。
【０１０８】
ジャイロセンサは、センサの角速度を検出可能な一般的なものであり、例えば、３軸ジャイロセンサでありセンサの角速度を線型独立な３軸に関して検出する。ジャイロセンサは、３方向の角速度を表す角速度信号を制御部２１０へ出力する。
【０１０９】
地磁気センサは、一般的なものであり、ユーザの姿勢を判定するために使用する。地磁気センサは、例えば、３軸地磁気センサであり、センサ周辺の地磁気の強度を方向と強さ（大きさ）を含めて３軸に関して検出する。
【０１１０】
制御部２１０は、加速度センサと地磁気センサの情報から、ジャイロセンサから得られる角速度にドリフトによる誤差を補正する手法を使用して、ユーザの初期の姿勢情報から角速度を積分することによって角度を得て、初期時刻からの所望の経過時間でのセンサごとの姿勢角を得てもよい。初期姿勢は、加速度センサによって、ロール角とピッチ角とを得ることができる。ヨー角については、地磁気センサを使用して求めることができる。
【０１１１】
制御部２１０は、地磁気センサによって得られる磁場の３次元成分と、先に求めたロール角とピッチ角とから、傾斜誤差を補正した磁場の３次元成分を算出する。この傾斜誤差を補正した磁場の３次元成分のうちのｘ成分とｙ成分とからヨー角を算出することができる。例えば、初期姿勢からユーザが動いた場合には、角速度を時間積分して角度を得て、初期姿勢と経過時間によって任意の時刻でのセンサごとの姿勢角を得ることができる。
【０１１２】
＜３＞  
本発明の装置は、コンピュータとプログラムによっても実現でき、プログラムを記録媒体（または記憶媒体）に記録することも、ネットワークを通して提供することも可能である。  
また、以上の各装置及びそれらの装置部分は、それぞれハードウェア構成、またはハードウェア資源とソフトウェアとの組み合せ構成のいずれでも実施可能となっている。組み合せ構成のソフトウェアとしては、予めネットワークまたはコンピュータ読み取り可能な記録媒体（または記憶媒体）からコンピュータにインストールされ、当該コンピュータのプロセッサに実行されることにより、各装置の動作（または機能）を当該コンピュータに実現させるためのプログラムが用いられる。
【０１１３】
＜４＞  
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【０１１４】
＜５＞  
また、「及び／または」とは、「及び／または」でつながれて列記される事項のうちの任意の１つ以上の事項という意味である。具体例を挙げると、「ｘ及び／またはｙ」とは、３要素からなる集合｛（ｘ）,（ｙ）,（ｘ,ｙ）｝のうちのいずれかの要素という意味である。もう１つの具体例を挙げると、「ｘ，ｙ，及び／またはｚ」とは、７要素からなる集合｛（ｘ）,（ｙ）,（ｚ）,（ｘ,ｙ）,（ｘ,ｚ）,（ｙ,ｚ）,（ｘ,ｙ,ｚ）｝のうちのいずれかの要素という意味である。
【０１１５】
（付記１）  
ユーザの外的な環境に関する環境データを取得する第１取得部（３０１）と、
前記環境データが、前記ユーザの生体データが変化を受けやすいことを示す予め記憶した条件を満たすかどうかを判定する第１判定部（３０３、３０２、３０５、３０６、３０７）と、
前記環境データが前記条件を満たすと判定された場合に、前記生体データを測定するように指示する指示部（３０４）と、を備える、
測定促進装置（１００）。
【符号の説明】
【０１１６】
１００…測定促進装置
１２０…腕時計型ウェアラブル端末
１３０…サーバ
１４０…ネットワーク
１５０…ＧＰＳ衛星
１６０…センサ
２０１…通信インタフェース
２０２…記憶部
２０３…入力装置
２０４…出力装置
２０５…計時装置
２０６…電源部
２０７…外部インタフェース
２０８…ＧＰＳ受信部
２１０…制御部
３０１…環境データ取得部
３０２…生体データ取得部
３０３…ユーザ影響判定部
３０４…指示部
３０５…体調受付部
３０６…関連付け部
３０７…テーブル作成部
【図１】
2020160506.tif 000003
【図２】
2020160506.tif 000004
【図３】
2020160506.tif 000005
【図４】
2020160506.tif 000006
【図５】
2020160506.tif 000007